(57)【要約】【課題】  菓子や各種食品の包装に用いられているプラスチック製の包装袋を一時的に閉じる簡単なクリップを提供する。【解決手段】  端部に設けた回転部を中心に開閉する２つの桿状部材からなり、該桿状部材の他端には開閉操作を行うリング状把手が各々設けられてなり、  前記桿状部材の一方は回転部とリング状把手との間に桿部をなす凸状部材を形成し、  他方の桿状部材は回転部とリング状把手との間に、前記桿部に対応しこれを収納する溝を備えた嵌合部を設けた凹状部材を形成してなる袋用口止め具。  【選択図】    図１
0003131844.tif 000002
【実用新案登録請求の範囲】
【請求項１】
端部に設けた回転部を中心に開閉する２つの桿状部材からなり、該桿状部材の他端には開閉操作を行うリング状把手が各々設けられてなり、
前記桿状部材の一方は回転部とリング状把手との間に桿部をなす凸状部材を形成し、
他方の桿状部材は回転部とリング状把手との間に、前記桿部に対応しこれを収納する溝を備えた嵌合部を設けた凹状部材を形成してなる袋用口止め具。
【請求項２】
凹状部材に設けた嵌合部は横断面が略Ｕ字状の溝を有する請求項１の袋用口止め具。
【請求項３】
凸状部材の桿部は、横断面がＩ字型のリブである請求項１又は２の袋用口止め具。
【請求項４】
回転部が凹状部材の一端に設けた１対の透孔からなる軸受部と凸状部材の一端に設けられ前記凹状部材の透孔にはまる回転軸からなる請求項１〜３いずれかの袋用口止め具。
【考案の詳細な説明】
【技術分野】
【０００１】
本考案は袋用口止め具に関する。本考案の袋用口止め具は、スナック菓子、即席ラーメンなどのプラスチック製の袋を利用途中で短期間、閉じるために用いる袋用口止め具に関する。
【背景技術】
【０００２】
菓子や各種食品の包装に用いられているプラスチック製の包装袋を使用の途中で一時的に閉じるには、輪ゴムや紐で結んだり簡単なクリップで袋の口を封止している。また、いくつかの袋用口止め具も提案されている。
【０００３】
【特許文献１】特開平１１−２９２０３７号
【特許文献１】登録実用新案第３１１３７２１号
【考案の開示】
【考案が解決しようとする課題】
【０００４】
従来の袋用の口止め具では、包装袋の口を閉じるにあたり器具の開閉自体に両手を必要とする。封止するには、通常、まず両手を用いて口止め具を広げ、つぎに片手でこれを持って、空いた片手で包装袋を器具の間に保持し、最後に片手で器具を閉じる動作をする必要があり、ある種コツを要する面倒な作業であった。このため、子供や年輩者には使用しづらく食べかけの菓子袋の封止などには用いづらい。
本考案の目的は片手で容易に開閉できる前記袋用口止め具を提供することにある。
【課題を解決するための手段】
【０００５】
本考案は、端部に設けた回転部を中心に開閉する２つの桿状部材からなり、該桿状部材の他端には開閉操作を行うリング状把手が各々設けられてなり、
前記桿状部材の一方は回転部とリング状把手との間に桿部をなす凸状部材を形成し、
他方の桿状部材は回転部とリング状把手との間に、前記桿部に対応しこれを収納する溝を備えた嵌合部を設けた凹状部材を形成してなる袋用口止め具を提供するものである。
また、この袋用口止め具の凹状部材に設けた嵌合部は横断面が略Ｕ字状の溝を有するのがよい。凸状部材の桿部は、横断面がＩ字型のリブであるのが好ましい。また、前記本考案の袋用口止め具は、回転部が凹状部材の一端に設けた１対の透孔からなる軸受部と凸状部材の一端に設けられ前記凹状部材の透孔にはまる回転軸からなるのが好ましい。
【考案の効果】
【０００６】
本考案の袋用口止め具によれば、片手のみで正確かつ容易に器具を開閉することができ、封止しようとする袋はもう一方の手で保持できるので、年齢や器用不器用を問わず、確実に使用途中の菓子等の包装袋を閉じることができる。
【実施例】
【０００７】
つぎに図面を参照しながら、本考案の袋用口止め具を具体例により更に詳細に説明する。図１(ａ)は本考案の袋用口止め具が３０°程度開いたところを示す斜視図であり、図１(ｂ)はその正面図である。また、図１(ｃ)は袋用口止め具が閉じたところを示す正面図である。図２(ａ)は凸状部材の桿部が凹状部材の嵌合溝にはまり込んだ状態を示す断面斜視図、さらに図２(ｂ)は袋が閉じられた状態を示す断面斜視図である。
【０００８】
図１において、袋用口止め具１は、その一方の端部に設けた回転部２を中心に開閉する２つの桿状部材である凹状部材１１と凸状部材２１とからなり、凸状部材は凹状部材の溝に嵌合する。２つの桿状部材の他端、すなわち開放端の各々にはハサミと同様に、指を通して桿状部材の開閉操作を行うリング状の把手１２，２２が設けられている。
【０００９】
凹状部材１１は、部材中間の嵌合部１３とその一端に設けた１対の透孔からなる軸受部１４及び他端の把手１２からなる。嵌合部１３は横断面が略Ｕ字状で、内部に長さ方向に嵌合溝１５を有する。
【００１０】
一方、凸状部材２１は横断面がＩ字型のリブをなす部材中間部を形成する桿部２３、該部材の一端に設けられ凹状部材の軸受部１４の透孔にはまる回転軸２４、および他端に設けられた把手２２からなる。図２(ａ)に示すように、凸状部材２１の桿部２３は前記２つの把手１２，２２を近接した場合に凹状部材１１に設けられた嵌合溝１５に嵌合する。
【００１１】
嵌合部１３及びこれにはまり込む桿部２３の形状は袋用口止め具１を閉じた状態で、プラスチック製の菓子袋などの口を閉じることができるように種々の形状的工夫を施すのが好ましい。図１の具体例では、桿部２３は断面がＩ字型をなし、回転方向に対して剛性を向上させ強い力でも袋を閉じることができる。また、桿部２３のＩ字型の側面により、包装袋の閉じた口の部分がより屈折し外部との遮断性が向上する。また、使用者が桿部２３を嵌合部１３に完全に収納した状態を確認できるよう、公知の嵌合溝１５の幅を部分的に調整するなど、公知のスナップ機構を形成するのが好ましい。
【００１２】
本考案の袋用口止め具の材質は、かかる成形品に汎用の各種材料がいずれも用いられてよく、通常、ポリプロピレン、ポリスチレンなど種々のプラスチックにより成形することができる。凹状部材と凸状部材の色彩を異なるものとすることも好ましい。
【００１３】
本考案の袋用口止め具を用いて、使用途中の食品の包装袋を閉じる方法を説明する。図３において、袋用口止め具１の２つの把手１２，２２に指を通して片手で桿状部材１１，２１を適当な角度に保持する。この開いた袋用口止め具の間に、もう一方の手で閉じようとする食品袋５を保持する(図３ａ)。ついで、把手１２，２２を閉じ袋用袋用口止め具の凹状部材１１の嵌合部に凸状部材２１の桿部を嵌合させ、包装袋の口を前記嵌合部の溝に沿って折れ曲がるようにして閉じる(図３ｂ,ｃ及び図２ｂ)。このようにして、簡単な動作で利用中の食品袋を閉じ、後の使用まで保管することができる。
【産業上の利用可能性】
【００１４】
この袋用口止め具は、菓子や各種食品の包装に用いられているプラスチック製の包装袋を利用途中で短期に閉じることができる。
【図面の簡単な説明】
【００１５】
【図１】本考案の袋用口止め具を示す斜視図である。
【図２】本考案の袋用口止め具の横断面を示す断面斜視図である。
【図３】本考案の袋用口止め具の使用法を示す説明図である。
【符号の説明】
【００１６】
１  袋用口止め具              ２  回転部                １１  凹状部材
１２  把手                    １３  嵌合部                １４  軸受部
１５  嵌合溝                  ２１  凸状部材              ２２  把手
２３  桿部                    ２４  回転軸
【図１】
0003131844.tif 000003
【図２】
0003131844.tif 000004
【図３】
0003131844.tif 000005